(57)【特許請求の範囲】
【請求項１】
鉄筋コンクリート造柱の複数の柱主鉄筋の端部であって梁が接合される側の端部に、前記柱主鉄筋から側方に突出する定着部材を取り付け、
前記複数の柱主鉄筋のうち外周側に配筋された前記柱主鉄筋を拘束するようにフープ筋を配筋し、
前記柱主鉄筋の端部では、前記柱主鉄筋の長手方向において前記定着部材が二つのフープ筋によって挟まれるように、前記端部に取り付けられた前記定着部材の近傍にフープ筋を配筋することを特徴とする鉄筋コンクリート造柱における柱主鉄筋の定着方法。
【請求項２】
前記鉄筋コンクリート造柱の側面のうち一部の側面に梁が接合され、残部の側面に梁が接合されないときには、前記梁が接合されない面に沿って設けられた前記柱主鉄筋のうち、両端を除いた前記柱主鉄筋の少なくとも一部を拘束するように、サブフープ筋を配筋することを特徴とする請求項１に記載の鉄筋コンクリート造柱における柱主鉄筋の定着方法。
【発明の詳細な説明】
【０００１】
【発明の属する技術分野】
本発明は、鉄筋コンクリート造柱における柱主鉄筋の定着方法に関する。
【０００２】
【従来の技術】
従来、鉄筋コンクリート造建物の最上階又は屋階において柱と梁を接合する場合、鉄筋コンクリート造柱における柱主鉄筋の上端部は、Ｊ字状に折り曲げるか、或いは、別に製造したＪ字状又はＵ字状の鉄筋を重ね継ぎ手筋として固定することにより、コンクリートに対する定着力を確保していた。また、柱主鉄筋の上端部に定着板を取り付けることによって、定着力を向上させる方法も行われていた。
【０００３】
【発明が解決しようとする課題】
しかしながら、従来の柱主鉄筋をＪ字状などに折り曲げて定着する方法では、柱梁接合部内に本来使用している本数以上の柱主鉄筋が複雑に配筋されるため、梁主鉄筋の配筋作業が困難で手間がかかるという問題があった。
【０００４】
また、柱主鉄筋にＪ字状又はＵ字状の重ね継ぎ手筋を固定する方法では、柱先行打設をする場合において、梁主鉄筋を配筋する時点では既に柱のコンクリートが梁の下面まで打設されているので、重ね継ぎ手筋を柱梁接合部より下側のコンクリートに定着させることができないため、重ね継ぎ手筋の定着必要長さを確保できなくなる。
【０００５】
そこで、この場合には、最上階スラブに柱の上部側に位置するコンクリートの突起を設け、この突起内に重ね継ぎ手筋を埋設することにより定着必要長さを確保していたが、これでは、意匠的な制約が増えると共に、突起を設けるのに手間がかかり、更に、屋上に防水シートを貼るときに突起が邪魔になり、防水が不完全になるおそれがあった。
【０００６】
また、柱主鉄筋に定着板を取り付ける方法では、柱主鉄筋の引っ張り方向の定着力は向上するものの、柱主鉄筋に大きな引き抜き力が作用したときには、次に説明するように柱主鉄筋の周囲のコンクリートが破壊されるおそれがあった
すなわち、柱主鉄筋に大きな引き抜き力が作用すると、定着板とコンクリートの間に大きな支圧力が発生するが、通常は柱の内側におけるコンクリートの支圧耐力より外側のコンクリートの支圧耐力の方が弱いため、定着板とコンクリートとの間に発生した支圧力によって、定着板が支圧耐力の低い外側に押し出され、コンクリートが破壊されるのである。
【０００７】
本発明の目的は、このような問題点を解決するためになされたものであり、柱主鉄筋を確実に定着できると共に、梁主鉄筋の配筋作業が容易である鉄筋コンクリート造柱における柱主鉄筋の定着方法を提供することを技術的課題とする。
【０００８】
【課題を解決するための手段】
本発明は鉄筋コンクリート造柱における柱主鉄筋の定着方法であり、前述の技術的課題を解決するために以下のように構成されている。すなわち、本発明は、鉄筋コンクリート造柱の複数の柱主鉄筋に、前記柱主鉄筋から側方に突出する定着部材を取り付け、前記複数の柱主鉄筋のうち外周側に配筋された前記柱主鉄筋を拘束するように、前記定着部材の近傍に位置するフープ筋を配筋したことを特徴とする。
【０００９】
また、本発明は、前記鉄筋コンクリート造柱の側面のうち一部の側面に梁が接合され、残部の側面に梁が接合されないときには、前記梁が接合されない面に沿って設けられた前記柱主鉄筋のうち、両端を除いた前記柱主鉄筋の少なくとも一部を拘束するように、サブフープ筋を配筋することを特徴とする。
【００１０】
本発明によれば、定着部材によって柱主鉄筋の引っ張り方向の定着力が増加すると共に、柱の外周側に配筋された複数の柱主鉄筋がフープ筋によって拘束されることにより、柱主鉄筋の横方向への定着力が向上する。
【００１１】
また、梁のない面に沿って配筋された柱主鉄筋の少なくとも一部を拘束するため、サブフープ筋を配筋した場合は、梁のない面側に向けて横方向の力が作用した場合でも、柱主鉄筋が外側に跳ね出すのを防止できる。
【００１２】
【発明の実施の形態】
以下、本発明に係る鉄筋コンクリート造柱の端部における柱主鉄筋の定着方法の実施の形態について、図面を参照して詳細に説明する。
【００１３】
図１は、本発明の鉄筋コンクリート造柱における柱主鉄筋の定着方法を説明する図である。本実施の形態では、鉄筋コンクリート造建物の最上階又は屋階において、鉄筋コンクリート造柱１の両側面に鉄筋コンクリート造梁２を接合する場合について説明する。
【００１４】
柱１及び梁２は、それぞれコンクリート１０と、このコンクリート１０内に配筋された複数の柱主鉄筋１１及び梁主鉄筋１２を有している。これらの柱主鉄筋１１及び梁主鉄筋１２は、コンクリート１０との定着度を向上させるために、異型鉄筋であるネジふし筋が用いられている。柱主鉄筋１１は柱１の上端面１３付近まで延ばされている。また、両側の梁２の梁主鉄筋１２，１２は、柱１内に挿入されて結合されている。
【００１５】
柱主鉄筋１１の上端部には、図２のように、円形の定着部材１４が挿通するようにして取り付けられている。この定着部材１４は、柱主鉄筋１１に作用する引っ張り方向の力に対して十分な定着力を発揮できる大きさであり、柱主鉄筋１１の側方に適宜な長さだけ突出している。定着部材１４は、柱主鉄筋１１に螺入された２個のナット１５によって挟まれるようにして固定されている。
【００１６】
また、柱１の外周側に設けられた複数の柱主鉄筋１１，１１・・・を拘束するため、図３に示すように、定着部材１４の近傍、本実施の形態では定着部材１４を固定する上下のナット１５，１５の直上及び直下にフープ筋１６，１６が配筋されている。これらのフープ筋１６は、柱主鉄筋１１の全長に亘って適宜な間隔で多数設けられている。
【００１７】
更に、柱１の梁２が接合されていない側面１７，１７に沿って設けられた柱主鉄筋１１のうち、両側の柱主鉄筋１１，１１を除いた柱主鉄筋１１の少なくとも一部を拘束するため、サブフープ筋１８が配筋されている。本実施の形態では、側面１７の中央の柱主鉄筋１１,１１に、サブフープ筋１８が配筋されている。
【００１８】
このサブフープ筋１８は、上述したフープ筋１６の上側に重ねて配筋されている。サブフープ筋１８をどの柱主鉄筋１１に配筋するかは、使用環境や荷重の作用状況など各種の条件に応じて適宜決定される。
【００１９】
また、本実施形態では、柱１の梁２が接合される面１９に沿って設けられた柱主鉄筋１１のうち、両端を除いた柱主鉄筋１１，１１にも、サブフープ筋１８が配筋されている。なお、梁２の梁主鉄筋１２には、フープ筋２０，２１及びコの字状のかご鉄筋２２が配筋されている。
【００２０】
このように、本発明の鉄筋コンクリート造柱における柱主鉄筋の定着方法によれば、鉄筋コンクリート造柱１の柱主鉄筋１１に、側方に突出する定着部材１４が設けられると共に、柱１の外周側に配筋された複数の柱主鉄筋１１に、定着部材１４の近傍に位置するフープ筋１６が配筋されているので、定着部材１４によって柱主鉄筋１１の引っ張り方向の定着力が向上すると共に、フープ筋１６によって横方向への定着力が増加する。従って、地震時に柱梁接合部にあらゆる方向の力がかかった場合でも、柱主鉄筋１１を確実に定着することができる。
【００２１】
また、柱１の梁２が接合されていない面１７に沿って配筋された複数の柱主鉄筋１１のうち、両側を除いた一部の柱主鉄筋１１，１１にサブフープ筋１８が配筋されているので、柱主鉄筋１１に引き抜き力がかかった場合でも、柱主鉄筋１１及び定着部材１４が支圧耐力の弱い外側に跳ね出してコンクリート１０が破壊されるのを防止できる。
【００２２】
更に、柱主鉄筋１１の定着力の向上によって、従来のように柱主鉄筋１１の上端部をＪ字状に折り曲げたり、或いはＪ字状又はＵ字状の継ぎ手筋を取り付けたりする必要がないので、柱梁接合部の配筋構造が簡略化されるため、梁主鉄筋１２の配筋作業が容易になる。また、柱１を先行打設した場合でも、柱主鉄筋１１の定着力を確保できる。
【００２３】
また、柱主鉄筋１１の定着力が確保されることによって、従来のように柱１の上部側に突起を設ける必要がなくなるので、屋上に防水シートを貼る作業が容易になると共に、屋上防水を確実に行うことができる。
【００２４】
なお、上述の実施形態では、柱１の対向する２側面に梁２を接合する場合について説明したが、本発明は、柱１の３側面に梁２を接合する場合や、図４に示すように、柱１の全ての側面に梁２を接合する場合にも適用することができる。
【００２５】
また、上述の実施形態では、柱主鉄筋１１にネジふし筋を使用し、このネジふし筋に螺入したナット１５，１５によって定着部材１４を固定したが、定着部材１４とナット１５を一体化したり、柱主鉄筋１１として通常の鉄筋を使用したり、或いは柱主鉄筋１１に定着部材１４を溶接によって固定することができる。
【００２６】
【発明の効果】
以上説明したように、本発明によれば、定着部材によって柱主鉄筋の引っ張り方向の定着力が向上すると共に、この定着部材の近傍に配筋されたフープ筋によって柱主鉄筋の横方向の定着力が向上する。
【００２７】
そのため、従来のように、柱主鉄筋の端部をＪ字状に折り曲げたり、或いはＪ字状又はＵ字状の継ぎ手筋を取り付けたりする必要がないので、柱梁接合部の配筋構造を簡略化でき、梁主鉄筋の配筋作業が容易になる。また、定着部分の長さをそれほど長く必要としないので、柱を先行打設した場合でも柱主鉄筋の定着力を確保できる。
【００２８】
また、従来のように、柱の上部側に柱主鉄筋を定着させるための突起を設ける必要がないので、屋上に防水シートを貼る作業が容易になると共に、屋上防水を確実に行うことができる。
【００２９】
更に、柱の梁が接合されていない面に沿って設けられた柱主鉄筋の少なくとも一部にサブフープ筋を配筋した場合には、これらの柱主鉄筋が互いに拘束されて定着力が向上するため、柱主鉄筋に横方向の力が作用した場合でも、柱主鉄筋が支圧耐力の弱い外側に跳ねだして、コンクリートを破壊してしまうのを防止できる。
【図面の簡単な説明】
【図１】本発明に係る鉄筋コンクリート造柱における柱主鉄筋の定着方法を説明する断面図である。
【図２】本発明に係る定着部材を示す斜視図である。
【図３】図１のＡ矢視図である。
【図４】本発明に係る鉄筋コンクリート造柱における柱主鉄筋の定着方法の別の実施形態を示す断面図である。
【符号の説明】
１  柱
２  梁
１１  柱主鉄筋
１４  定着部材
１６  フープ筋
１８  サブフープ筋
【図１】
0004358453.tif 000002
【図２】
0004358453.tif 000003
【図３】
0004358453.tif 000004
【図４】
0004358453.tif 000005